(57)【要約】【課題】  開口部の外表面が汚染された場合であっても、開口部の外表面から開口部以外の部分へと汚染が拡大することを抑制することができる超音波診断装置用カバーを提供する。【解決手段】  超音波診断装置用カバーは、ケーシングにプローブ及びモニターが設けられている超音波診断装置にその全体を覆うように被せられるものであって、前記超音波診断装置を挿入可能な開口部を含む分離部分と、前記超音波診断装置全体を収めることができる本体部分とを有し、分離部分は、本体部分から切り離し可能に構成されている。【選択図】      図１
2020010801.tif 000002
【特許請求の範囲】
【請求項１】
ケーシングと、前記ケーシングの所定方向一端部に配置され且つ被検部位にて反射された超音波を受信するセンサを有するプローブと、前記ケーシングに設けられ且つ前記センサにて受信した超音波に応じた画像を映し出すモニターと、を備える超音波診断装置にその全体を覆うように被せられる超音波診断装置用カバーであって、
前記超音波診断装置を挿入可能な開口部を含む分離部分と、前記超音波診断装置全体を収めることができる本体部分とを有し、
前記分離部分は、前記本体部分から分離可能に構成されている、超音波診断装置用カバー。
【請求項２】
前記分離部分と前記本体部分との間に形成されている分離部位と、前記分離部分に設けられている内筒部分とを更に有し、
前記分離部分は、前記分離部位で前記本体部分から分離され、
前記内筒部分は、前記分離部位を内側から覆うように前記分離部分から前記分離部位を超えて前記本体部分まで延在している、請求項１に記載の超音波診断装置用カバー。
【請求項３】
前記分離部位は、前記分離部分と前記本体部分との間において周方向全周にわたって形成されるミシン目である、請求項２に記載の超音波診断装置用カバー。
【請求項４】
前記内筒部分は、前記分離部分の開口側部分に溶着されている、請求項２又は３に記載の超音波診断装置用カバー。
【請求項５】
前記開口部である第１開口部と、前記第１開口部と異なる第２開口部とを両端部に夫々有する筒状に形成され、前記第１開口部から前記超音波診断装置を挿入可能になっている筒状体と、
前記第２開口部を塞ぎ、且つ前記プローブが当たるように前記筒状体に設けられ、前記プローブが当たる部分が前記センサと前記被検部位との間の音響結合を可能にするゲル材から成るプローブカバー体とによって袋状を備えている、請求項１乃至４の何れか１つに記載の超音波診断装置用カバー。
【請求項６】
請求項１乃至５の何れか１つに記載の前記超音波診断装置用カバーと、
前記超音波診断装置とを備える、カバー付き超音波診断装置。
【発明の詳細な説明】
【技術分野】
【０００１】
本発明は、超音波診断装置にその全体を覆うように被せられる超音波診断装置用カバー、及びそれを備えるカバー付き超音波診断装置に関する。
【背景技術】
【０００２】
患者に針等を穿刺する穿刺作業を行う際、体内における穿刺状態（針の位置、方向、及び深さ等）を確認しながら穿刺作業を行うことが好ましく、穿刺状態を確認する装置として、例えば特許文献１の超音波診断装置が知られている。特許文献１の超音波診断装置は、１つのケーシングにプローブとモニターとが一体的に構成されており、プローブの近くにモニターが配置されている。それ故、プローブを被検部位に押し当てた際、被検部位の近くにモニターを位置させることができ、体内における穿刺状態及び針の両方を見ながら針を穿刺することができる。
【０００３】
このような機能を有する超音波診断装置では、穿刺時等において血液等が付着することがある。それ故、特許文献１の超音波診断装置は、穿刺時においてそれ全体がカバーによって覆っており、このカバーによって超音波診断装置自体に血液等が付着することを防ぎ、また超音波診断装置に付着した血液等が飛散することも防いでいる。
【先行技術文献】
【特許文献】
【０００４】
【特許文献１】特開２０１８−０１１７６６号公報
【発明の概要】
【発明が解決しようとする課題】
【０００５】
特許文献１のカバーでは、前述の通りカバー本体の開口部から超音波診断装置を挿入しているが、その際、超音波診断装置が開口部の外表面に触れることによって開口部の外表面が汚染されることがある。また、開口部を閉じる作業を行う人がその手袋で不意に開口部の外周面に触れ、更に汚染された手袋等で開口部以外に触れることによって、汚染箇所が拡大する。それ故、開口部の外周面に超音波診断装置が触れないようにカバーに挿入することが好ましいが、触れずに挿入することは容易ではない。
【０００６】
そこで本発明は、超音波診断装置をカバー本体に入れる際に開口部の外表面が汚染された場合であっても、開口部の外表面の汚染部位から開口部以外の部分へと汚染が拡大することを抑制することができる超音波診断装置用カバー、及びそれを備えるカバー付き超音波診断装置を提供することを目的としている。
【課題を解決するための手段】
【０００７】
本発明の超音波診断装置用カバーは、ケーシングと、前記ケーシングの所定方向一端部に配置され且つ被検部位にて反射された超音波を受信するセンサを有するプローブと、前記ケーシングに設けられ且つ前記センサにて受信した超音波に応じた画像を映し出すモニターと、を備える超音波診断装置にその全体を覆うように被せられる超音波診断装置用カバーであって、前記超音波診断装置を挿入可能な開口部を含む分離部分と、前記超音波診断装置全体を収めることができる本体部分とを有し、前記分離部分は、前記本体部分から切り離し可能に構成されているものである。
【０００８】
本発明に従えば、超音波診断装置を挿入する際に開口部の外表面が汚染されても、分離部分を本体部分から切り離すことによって開口部の外表面の汚染部位から開口部以外の部分に汚染が拡大することを抑制することができる。例えば、把持者と挿入者とが以下のように役割分担することによって汚染の拡大を抑制することができる。即ち、把持者が開口部を開くようにして本体部分を把持し、挿入者がその開口部から超音波診断装置を挿入する。挿入した後、挿入者が開口部を含む分離部分を本体部分から切り離すことで、外表面に汚染部位を有する開口部をカバーから取り外すことができる。これにより、汚染部位から開口部以外の部分へと汚染が拡大することを抑制することができる。
【発明の効果】
【０００９】
本発明によれば、開口部の外面が汚染された場合であっても汚染部位から開口部以外の部分へと汚染が拡大することを抑制することができる。
【図面の簡単な説明】
【００１０】
【図１】本発明の実施形態に係る超音波診断装置用カバーと超音波診断装置とを示す正面図である。
【図２】図１の超音波診断装置用カバーに超音波診断装置を挿入したカバー付き超音波診断装置を示す正面図である。
【図３】図１の超音波診断装置用カバーに備わるガイド付きブラケットを示す平面図である。
【図４】図３のガイド付きブラケットを断面線ＩＶ−ＩＶで切断して見た断面図である。
【図５】図２において超音波診断装置用カバーの本体部分から分離部分を切り離した状態を示す正面図である。
【図６】図５の超音波診断装置用カバーの本体部分の上側部分を折り返した状態を示す図である。
【発明を実施するための形態】
【００１１】
以下、本発明に係る実施形態のカバー付き超音波診断装置１について、前述する図面を参照しながら説明する。なお、以下の説明で用いる方向の概念は、説明する上で便宜上使用するものであって、発明の構成の向き等をその方向に限定するものではない。また、以下に説明するカバー付き超音波診断装置１は、本発明の一実施形態に過ぎない。従って、本発明は実施形態に限定されず、発明の趣旨を逸脱しない範囲で追加、削除、変更が可能である。
【００１２】
＜カバー付き超音波診断装置＞
図１に示すカバー付き超音波診断装置１は、皮下にある血管等を可視化しながら針等を穿刺する際に用いられるものであり、例えば透析治療においてカテーテルを血管に留置する際に用いられる。このような機能を有するカバー付き超音波診断装置１は、超音波診断装置２と、超音波診断装置用カバー３を備えており、超音波診断装置２に超音波診断装置用カバー３を被せて使用される。以下では、超音波診断装置２及び超音波診断装置用カバー３の構成の一例について説明する。
【００１３】
＜超音波診断装置＞
超音波診断装置２は、体表に当てられた状態で被検部位（即ち、皮下組織）に超音波を発振すると共に被検部位にて反射された超音波（即ち、反射波）を受信する。また、超音波診断装置２は、受信した反射波に基づいて画像処理を行い、被検部位の断面を映し出すようになっている。このような機能を有する超音波診断装置２は、ケーシング１１と、プローブ１２と、モニター１３とを有している。ケーシング１１は、例えばポリカーボネート、ABS（アクリロニトリル・ブタジエン・スチレン）樹脂、SAS（シリコン・アクリロニトリル・スチレン）、及びポリプロピレン等の合成樹脂から成り、正面視で大略矩形状且つ断面扁平状の箱体である。また、ケーシング１１の所定方向一端部である先端側部分１１ａは、先端に向かって先細りの台形状に形成され、ケーシング１１の先端部１１ｂにはプローブ１２が配置されている。即ち、超音波診断装置２は、その先端部２ａにプローブ１２を有している。また、ケーシング１１の中間部分には、その前面１１ｃにモニター１３が配置され、モニター１３には、画像が映し出される。以下では、プローブ１２とモニター１３について更に詳細に説明する。
【００１４】
プローブ１２は、超音波を送受信するように構成されており、センサ１２ａを有している。センサ１２ａは、例えば圧電素子等の振動子及び音響レンズによって構成されている。このように構成されているセンサ１２ａは、ケーシング１１の先端部１１ｂに埋め込むように取り付けられ、センサ１２ａの下端面がケーシング１１の先端面と略面一となっている。このように配置されているセンサ１２ａは、ケーシング１１内に収容される制御装置（図示せず）に接続され、制御装置からの指令に応じて超音波を発振する。また、センサ１２ａは、被検部位で反射される反射波を受信し、受信する超音波に応じた信号を制御装置に出力する。制御装置は、画像処理機能を有しており、その信号に基づいて画像処理を行って画像データをモニター１３に出力する。モニター１３は、例えば液晶型モニター及び有機ＥＬ型モニターであり、画像データに応じた画像を表示可能に構成され、モニター１３では、センサ１２ａで受信した反射波に基づいて作成される画像、例えば被検部位の断面が映し出される。
【００１５】
このように構成されている超音波診断装置２は、そのプローブ１２を被検部位の体表に当て、その状態でセンサ１２ａから超音波を発振させる。発振させた超音波は被検部位にて反射され、センサ１２ａは被検部位にて反射される反射波を受信し、受信する超音波に応じた信号を制御装置に出力する。制御装置は、その信号に基づいて画像処理を行い、被検部位の断面をモニター１３に映し出させる。これにより、使用者は、被検部位及び断面映像の両方を見ながら超音波診断装置２を走査させることができる。
【００１６】
このような機能を有する超音波診断装置２では、穿刺時等において血液等が付着することがあり、穿刺する度に滅菌処理することが好ましい。しかし、超音波診断装置２では、モニター１３に防水処理が施されておらず、超音波診断装置２に滅菌処理を施すと不具合を生じることが考えられる。それ故、超音波診断装置２に対して滅菌処理を行うことが容易ではない。それ故、超音波診断装置２に対して滅菌処理を行わずに使用することを可能にすべく超音波診断装置２には、超音波診断装置用カバー３が被せられる。以下では、超音波診断装置用カバー３について説明する。
【００１７】
＜超音波診断装置用カバー＞
超音波診断装置用カバー３は、超音波診断装置２に血液等が付着しないように又はそこに付着した血液等が飛散しないようするべく、超音波診断装置２に対してその全体を覆うように被せられている。このような機能を有する超音波診断装置用カバー３は、筒状体２１と、ガイド付きブラケット２２と、プローブカバー体２３（図２参照）とを備えた袋状を形成している。筒状体２１は、例えばポリエチレン、ポリプロピレン、ポリエチレンテレフタレート、及びポリ塩化ビニル等の材料から成る高い透明性を有する軟質体であり、滅菌処理が施された無菌の軟質体である。このような材料から成る筒状体２１は、図１及び２に示すように正面視で上下方向に長尺の大略矩形状に形成されている。また、筒状体２１の外形形状は、正面から見た超音波診断装置２と類似しており、下端側部分２１ａが下端２１ｂに向かって先細りの台形状に形成されている。また、筒状体２１は、筒状に形成され、その中に超音波診断装置２を収めることができるようになっている。このように構成されている筒状体２１は、その上下両端部に開口部２１ｃ，２１ｄを夫々有しており、各開口部２１ｃ、２１ｄは、以下のように構成されている。
【００１８】
第１開口部である上側開口部２１ｃは、前後方向に開くと、上から見た平面視で大略扁平状にすることができ、開いた際に外形形状が超音波診断装置２の外形形状より大きく形成されている。上側開口部２１ｃは、そこから超音波診断装置２を挿入できるようになっている。また、筒状体２１は、分離部分２４と本体部分２５とを有しており、その上側開口部２１ｃを含む上端側部分が分離部分２４を成し、残余の部分が本体部分２５を成している。また、分離部分２４は、残余の部分である本体部分２５から切り離すことができるよう（即ち、分離可能）になっており、筒状体２１には、切り離すべく分離部分２４と本体部分２５との間に分離部位２６が形成されている。分離部位２６は、筒状体２１の周方向全周にわたって形成されており、例えば複数の孔が周方向に間隔をあけて形成されるミシン目である。なお、分離部位２６は、筒状体２１の下端２１ｂから所定距離Ｌだけ上方に離して配置され、所定距離Ｌは、超音波診断装置２の上下方向の長さとその前後方向の厚みとの和以上となっている。
【００１９】
また、筒状体２１は、両端が開口する筒状部材２８から成り、以下のようにして形成されている。即ち、筒状体２１は、筒状部材２８の一方の開口側部分２８ａを全周にわたって内側に折り返して形成されており、折り返した後の上端が上側開口部２１ｃを成している。また、折り返すことによって一方の開口側部分２８ａが分離部分２４の内側に配置され、内筒部分２７を成している。このように形成されている内筒部分２７は、上側開口部２１ｃから分離部位２６を超えて本体部分２５まで延在しており、分離部位２６を周方向全周にわたって内側から覆っている。このように構成されている上側開口部２１ｃに対して下側開口部２１ｄは、以下のように構成されている。
【００２０】
即ち、第２開口部である下側開口部２１ｄは、前述の通り下端側部分２１ａが逆台形状に形成されており、上側開口部２１ｃに比して径が小さくなっている。それ故、超音波診断装置２を筒状体２１の上側開口部２１ｃから挿入した後、超音波診断装置２の先端部２ａが自然と下側開口部２１ｄに導かれるようになっている。また、下側開口部２１ｄは、超音波診断装置２を筒状体２１に挿入した状態で超音波診断装置２の先端部２ａの外周縁形状より若干大きく形成されており、下側開口部２１ｄから超音波診断装置２の先端部２ａを突き出させることができる。このような形状を有する下側開口部２１ｄには、後で詳述するプローブカバー体２３を取り付けるべくガイド付きブラケット２２が設けられている。
【００２１】
ガイド付きブラケット２２は、ブラケット本体３１とガイド部３２とを有している。ブラケット本体３１は、後述するプローブカバー体２３より硬質の材料、例えばポリカーボネート、ABS（アクリロニトリル・ブタジエン・スチレン）樹脂、SAS（シリコン・アクリロニトリル・スチレン）、及びポリプロピレン等の合成樹脂から成る。このような材料から成るブラケット本体３１は、正面視で図１及び２に示すように大略板状であって、平面視において図３に示すように左右横長の偏平状且つ環状に形成されている。なお、図３では、説明の便宜上、ガイド部３２を図示していない。
【００２２】
このような形状を有するブラケット本体３１では、その内孔３１ａが下側に向かって先細りのテーパ状に形成されている（図４参照）。また、内孔３１ａは、超音波診断装置２の先端部２ａの外形形状より若干大きく形成されており、超音波診断装置２の先端部２ａを突き出させることができる。このように構成されているブラケット本体３１には、先端部２ａが突き出た状態で超音波診断装置２を保持すべく一対の係止片３３，３３が一体的に形成されている。
【００２３】
一対の係止片３３，３３は、板状の部材であり、ブラケット本体３１の上面から外側に拡がるように斜め上方に延在している。このように配置されている一対の係止片３３，３３は、その主面を互いに対向させるように左右に離して配置され、それらの主面の間にケーシング１１の先端側部分１１ａが入れられるようになっている。また、一対の係止片３３，３３の各々の主面には、係止孔３３ａが形成されている。更に、ケーシング１１の側面には、各係止孔３３ａに対応させて一対の嵌合凸部１１ｄ，１１ｄ（図１参照）の各々が形成されている。それ故、ブラケット本体３１に対して超音波診断装置２を所定位置まで挿入すると、一対の嵌合凸部１１ｄ，１１ｄの各々が対応する係止孔３３ａに嵌合し、嵌合することで超音波診断装置２がブラケット本体３１に係止されて保持される。
【００２４】
このように構成されているブラケット本体３１の外周面の形状は、下側開口部２１ｄの形状と略同じに形成されている。即ち、ブラケット本体３１は、筒状体２１の下側開口部２１ｄ内に入れられており、筒状体２１の下側開口部２１ｄは、全周にわたってブラケット本体３１の外周面に固着、より具体的は溶着されている。このようにしてブラケット本体３１は、筒状体２１の下側開口部２１ｄに設けられており、筒状体２１にはこのブラケット本体３１を介してプローブカバー体２３が設けられている。
【００２５】
プローブカバー体２３は、音響結合が良好でかつ伸縮可能に構成され、例えばスチレン系、ウレタン系、及びシリコーン系のエラストマーゲル（本実施形態では、スチレン系エラストマーゲル）材から成る。このような材料から成るプローブカバー体２３は、略平坦な板状であって平面視で横長の大略矩形に形成されている。より詳しく説明すると、プローブカバー体２３は、平面視でブラケット本体３１の内孔３１ａの形状に類似しており、内孔３１ａより若干大きく形成されている。このように構成されているプローブカバー体２３はブラケット本体３１に固定されおり、ブラケット本体３１は、プローブカバー体２３を固定すべく以下のように構成されている。
【００２６】
即ち、ブラケット本体３１は、図４に示すように上下２つの部材、即ち第１ブラケット部３４及び第２ブラケット部３５によって構成されている。第１ブラケット部３４及び第２ブラケット部３５は、共に平面視で左右横長の扁平状且つ環状であり、互いに略同形状にて形成されている。また、第１ブラケット部３４は、その上面に一対の係止片３３，３３が設けられており、第２ブラケット部３５の上に重ね合わせるように載せられて互いに係合されている。また、２つブラケット部３４，３５の間には、プローブカバー体２３の外周縁部が介在されており、プローブカバー体２３は、その外周縁部を周方向全周にわたって２つのブラケット部３４，３５によって挟持されている。このようにプローブカバー体２３は、２つのブラケット部３４，３５によって挟持されることによってブラケット本体３１に固定され、またブラケット本体３１を介して筒状体２１に設けられている。
【００２７】
このように超音波診断装置用カバー３では、プローブカバー体２３を筒状体２１の下側開口部２１ｄに設けることによって下側開口部２１ｄが塞がれており、塞ぐことによって超音波診断装置用カバー３が袋状に形成されている。より詳細に説明すると、超音波診断装置用カバー３は、筒状部材２８、ガイド付きブラケット２２、及びプローブカバー体２３によって構成される袋状部材２０から成る。袋状部材２０は、一方が開口しており、筒状体２１を構成する場合と同じくその開口側部分２０ａ（即ち、筒状部材２８の一方の開口側部分２８ａ）が内側に折り返されている。このように開口側部分２０ａが折り返されている袋状部材２０によって、内筒部分２７を有する超音波診断装置用カバー３が形成されている。このようにして形成されている超音波診断装置用カバー３では、ブラケット本体３１に図１及び２に示すようにガイド部３２が設けられている。
【００２８】
ガイド部３２は、留置針等の針装置の針４１を穿刺する際に針４１を案内して穿刺方向を決定づけるためのものであり、大略ブロック状に形成されている。このような形状を有するガイド部３２は、第２ブラケット部３５の前面に一体的に取り付けられている。なお、ガイド部３２は、必ずしも第２ブラケット部３５に設けられている必要はなく、第１ブラケット部３４の前面に設けられてもよい。また、ガイド部３２は、その前端面３２ａが第２ブラケット部３５の前面に対して前方に所定の角度だけ倒すようにブラケット本体３１に取り付けられている。また、ガイド部３２には、上下方向に貫通するガイド孔３２ｂが形成されており、ガイド孔３２ｂは、前端面３２ａと同じく第２ブラケット部３５の前面に対して前方に所定の角度を成している。またガイド孔３２ｂは、針４１を挿入可能に形成されており、その下から針先４１ａを突き出させて穿刺部位に穿刺可能に構成されている。また、ガイド部３２の前端面３２ａには、取出し口３２ｃが形成されており、取出し口３２ｃは、ガイド孔３２ｂに挿入した針４１を前側に倒して抜けるように形成されている。
【００２９】
＜装着作業及び穿刺作業＞
以下では、超音波診断装置２を使用すべくそれに超音波診断装置用カバー３を被せる装着作業について説明する。なお、装着作業は、超音波診断装置２を挿入する挿入者と、超音波診断装置用カバー３を把持する把持者との２人で行われる。超音波診断装置用カバー３は、無菌状態を保つべく図示しない無菌パック等の袋の中に入れられ、超音波診断装置用カバー３は、使用時に把持者によって無菌パックから取り出される。取り出した後、把持者が超音波診断装置用カバー３の筒状体２１の上側開口部２１ｃを前後に開け、次に挿入者が超音波診断装置２を先端部２ａから上側開口部２１ｃに挿入する。
【００３０】
その後、超音波診断装置２全体を筒状体２１内に収めるべく、把持者が筒状体２１を立てる又は挿入者が超音波診断装置２を下側開口部２１ｄに向かって押し込む。そうすると、やがて超音波診断装置２の先端部２ａ（即ち、プローブ１２のセンサ１２ａの部分）がブラケット本体３１の内孔３１ａに入り、更にプローブカバー体２３に当たる。筒状体２１では、前述の通り、その下端２１ｂと分離部位２６との距離、即ちプローブカバー体２３と分離部位２６との距離が所定距離Ｌとなっている。それ故、超音波診断装置２をその先端がプローブカバー体２３に当たるまで進めることによって、超音波診断装置２全体を筒状体２１の本体部分２５の中に収めることができる。
【００３１】
収めた後、把持者は本体部分２５と分離部分２４とを別々の手で把持し、分離部位２６のミシン目に沿って本体部分２５から分離部分２４を切り離す（図５参照）。この際、把持者は超音波診断装置２が触れたであろう汚染部位に触れないようにして本体部分２５から分離部分２４を切り離す。切り離した後、把持者は、本体部分２５越しに超音波診断装置２を下方に向かって押す。そうすることによって、把持者は、直接触れることなく超音波診断装置２を押し込むことができる。
【００３２】
また、押し込むとプローブカバー体２３は超音波診断装置２の先端形状に合わせて伸長し、超音波診断装置２の先端部２ａがブラケット本体３１から突出する。更に押し続けると、やがて一対の嵌合凸部１１ｄ，１１ｄが対応する係止片３３，３３に当たり、係止片３３，３３が対応する嵌合凸部１１ｄ，１１ｄによって外側に押し退けられる。その後も押し続けて超音波診断装置２を所定位置まで移動させると、一対の嵌合凸部１１ｄ，１１ｄが係止孔３３ａ，３３ａに嵌まり込む。そうすると、一対の係止片３３，３３が弾性復帰し、超音波診断装置２がブラケット本体３１に係合して装着される（図２参照）。
【００３３】
装着後、超音波診断装置２を超音波診断装置用カバー３の中に密封すべく、折り返した上側部分２５ａを粘着テープ又は面ファスナ等を使用して本体部分２５の残余の部分に貼り付ける。これにより、超音波診断装置２が超音波診断装置用カバー３の中に収められて密封される（図６参照）。このようにカバー付き超音波診断装置１では、超音波診断装置２に超音波診断装置用カバー３を被せることによって使用可能な状態となり、穿刺作業が行われる。以下では、カバー付き超音波診断装置１を用いた穿刺作業について説明する。
【００３４】
まず、使用者は、超音波診断装置２のプローブ１２をプローブカバー体２３を介して体表に押し当てる。そして、プローブ１２から超音波を発振させ、被検部位（所望の穿刺部位付近）の断面をモニター１３に映し出させる。なお、この際、音響結合の状態に応じて体表に液状ゲル等を塗布して、音響結合を更に良好にするようにしてもよい。被検部位の断面がモニター１３に映し出されると、使用者は、モニター１３を見ながら超音波診断装置２を走査し、血管の位置を探る。そして、血管の位置を確認するとガイド部３２のガイド孔３２ｂに針組立体の針４１を挿入し、針４１の針先４１ａを血管に穿刺する。なお、ガイド孔３２ｂは、そこに挿入されて穿刺される針４１とモニター１３に映し出される映像との対応するように形成されている。例えば、挿入された針４１とモニター１３に映し出された針４１とが正面視で重なり合うようになっている。これにより、穿刺後の針先４１ａの位置を事前（即ち、穿刺前）にモニター１３によって確認することができる。
【００３５】
そして、血管に針先４１ａが穿刺されたことが確認されると、針４１から超音波診断装置２を取り外すべく、取出し口３２ｃを介してガイド孔３２ｂから針４１を抜く。即ち、針４１に対して超音波診断装置２を離すように後側に倒すことによって、取出し口３２ｃを介してガイド孔３２ｂから針４１を抜く。こうすることで、針４１をその位置に留置することができ、その後の処置（例えば、透析、投液及び採血等の処置）を施すことができる。
【００３６】
このように構成されているカバー付き超音波診断装置１では、滅菌処理されていない超音波診断装置２を上側開口部２１ｃから挿入するので、超音波診断装置２が上側開口部２１ｃの外表面や開口端に触れた際に上側開口部２１ｃの外表面や開口端が汚染されることがある。この状態では、挿入者でない者、例えば把持者等が上側開口部２１ｃの汚染部位に触れたり、また上側開口部２１ｃの汚染部位が本体部分２５の外表面に触れたり、別の施術器具が汚染部位に触れたりすることで汚染箇所が各所に拡がる可能性がある。これに関してカバー付き超音波診断装置１では、筒状体２１において汚染部位である上側開口部２１ｃを含む分離部分２４を本体部分２５から切り離すことができるようになっている。これにより、把持者及び使用者が不意に上側開口部２１ｃの外表面の汚染部位を触れ、その他の部位へと汚染が拡大することを抑制することができる。
【００３７】
また、超音波診断装置用カバー３では、筒状体２１内に超音波診断装置２を収めるので、筒状体２１の内面が超音波診断装置２に触れることによって汚染されることがある。超音波診断装置用カバー３が内筒部分２７を有していない場合、分離部位２６周辺の内面もまた例外なく超音波診断装置２に触れることによって汚染される。それ故、分離部分２４を本体部分２５から切り離した場合、把持者等が本体部分２５の内面であって分離部位２６付近に触れることによって汚染されることがある。これに対して超音波診断装置用カバー３では、内筒部分２７が分離部位２６を超えて本体部分２５まで達して分離部位２６を覆うように配置されている。それ故、筒状体２１に超音波診断装置２が挿入された際に、超音波診断装置２が本体部分２５の内面であって分離部位２６付近に触れることがなく、その付近が汚染されることを防ぐことができる。また、挿入時において内面が汚染される可能性のある内筒部分２７は、分離部分２４と一緒に本体部分２５から切り離される。それ故、切り離し後において把持者が内筒部分２７に触れることによってその触れた部位が汚染されることを防ぐことができる。それ故、切り離した後に本体部分２５の上側部分２５ａを折り返すべく把持者が上側部分２５ａに触れた際にその触れた部位が汚染されることを抑制することができる。
【００３８】
このような機能を有する内筒部分２７は、袋状部材２０の開口側部分２０ａを内側に折り返すだけで形成することができる。それ故、上記機能を有する超音波診断装置用カバー３を製造することが容易である。また、分離部分２４と本体部分２５とを切り離すべく形成される分離部位２６もまた、ミシン目で形成されており、その製造が簡単であり且つ切り離し作業を容易にすることができる。なお、内筒部分２７は、必ずしも袋状部材２０の開口側部分２０ａを内側に折り返すことによって形成される必要はなく、内筒部分２７を成す別の部材を分離部分２４に取り付けることによって構成してもよい。分離部位２６もまた、必ずしもミシン目に限定されず、ノッチを設けたり、素材や薄さ等を変えたりすることによって本体部分２５から分離部分２４を切り離しやすくしてもよい。また、分離部分２４と本体部分２５との固定を硬質部材同士の係合で実現してもよく、係合を解除することで分離部分２４と本体部分２５とを分離させてもよい。分離部分２４と本体部分２５とを同一部材で形成することなく別部材としてもよい。
【００３９】
［その他の実施形態について］
本実施形態の超音波診断装置用カバー３では、プローブカバー体２３がガイド付きブラケット２２を介して筒状体２１に取り付けられているが、必ずしもガイド付きブラケット２２を介する必要はない。即ち、プローブカバー体２３を筒状体２１に直接設けてもよい。また、ガイド付きブラケット２２もまた、その形状が前述するものに限定されず筒状であってもよい。更に、超音波診断装置用カバー３は、必ずしも筒状体２１及びプローブカバー体２３によって構成されている必要はなく、筒状体２１と同じ材料から成る１つの袋状部材によって構成されていてもよい。
【００４０】
また、カバー付き超音波診断装置１は、必ずしも穿刺作業に用いられるものに限定されず、被検部位の断面をモニター１３に映すだけの場合に用いられてもよい。この場合、ガイド付きブラケット２２は、必ずしもガイド部３２を有する必要はなく、ガイド付きブラケット２２を構成する部材がブラケット本体３１だけであってもよい。
【００４１】
プローブカバー体２３は、その全体が被検部位とプローブ１２との間の音響結合を良好なエラストマーゲル、即ちスチレン系、ウレタン系、及びシリコーン系のエラストマーゲルによって構成されているが、必ずしもこのように構成されている必要はない。例えば、プローブカバー体２３において少なくとも被検部位とプローブ１２との間に位置する部分だけが前述するエラストマーゲルによって構成されていればよい。
【００４２】
筒状体２１は、ブラケット本体３１の外周面に沿わせるようにして固着されているが、必ずしもこのような固着方法である必要はない。ブラケット本体３１の内周面に沿わせるようにして固着してもよい。また、固定する方法も固着に限定されず、例えば筒状体２１の下側開口部２１ｄをプローブカバー体２３と共に２つのブラケット部３４，３５の間に挟み込んで固定するようにしてよい。
【００４３】
また、本実施形態の超音波診断装置用カバー３では、筒状部材２８の一方の開口側部分２８ａを折り返すことによって筒状体２１が構成されているが、必ずしもこのように構成されている必要はない。例えば、他の実施形態の筒状体は、以下のように構成されていてもよい。即ち、他の実施形態の筒状体では、分離部分２４と内筒部分２７とが別々の部材によって構成されている。また、内筒部分２７は、大略矩形状のシートを大略筒状に丸められ、その状態で分離部分２４の中に配置されている。更に、内筒部分２７は、その上側開口部分の外周面を分離部分２４の上側開口部分の内周面に対向させて配置され、それらが互いに溶着されている。
【００４４】
このように構成されている筒状体では、内筒部分２７の上側開口部分の外周面及び分離部分２４の上側開口部分の内周面にシーラント層が夫々形成されており、それらに熱を加えることによって内筒部分２７の上側開口部分と分離部分２４の上側開口部分とが溶着される。分離部分２４は、溶着する際、その上側開口部分を閉じるように平たく畳まれた状態となっており、その状態で前記上側開口部及びその付近を外側から挟みつつそこに熱が加えられる。そうすることで内筒部分２７の上側開口部分と分離部分２４の上側開口部分とが溶着され、第１実施形態の筒状体２１と同様の筒状体が構成される。
【００４５】
このように、他の実施形態の筒状体では、一方の開口側部分２８ａを折り返す手順を必要としないので、第１実施形態の筒状体２１よりも機械による製造に適している。また、他の実施形態の筒状体では、内筒部分２７の上側開口部分の内周面には、シーラント層が形成されておらず、熱を加えても内周面同士が溶着されることがない。それ故、超音波診断装置２を挿入可能な筒状体の上側開口部を形成すべく新たな作業を必要とすることがなく、筒状体の形成が容易である。
【００４６】
なお、分離部分２４及び本体部分２５によって構成される外筒部分は、予め筒状に形成されているものに限定されず、以下のように構成されていてもよい。即ち、２枚のシート状部材を互いに重ね合わせ、その所定方向の両側縁部分を互いに溶着することによって構成してもよく、また１枚のシートを折り返し、互いに重なり合わせた部分を溶着させることによって構成してもよい。第１実施形態の筒状部材２８についても同様である。また、内筒部分２７もまた１枚のシートを筒状に丸めたものに限定されず、予め筒状に形成されているものを用いてもよい。また、他の実施形態の筒状体において分離部分２４に対して内筒部分２７が夫々溶着される部位は、必ずしも上側開口部に限定されず、分離部分２４の内周面及び内筒部分２７の外周面であれば何れの部位であってもよい。また、例えば、内筒部分の上側開口部を外側に折り返してそこに分離部分２４を溶着させるような構造であってもよい。
【符号の説明】
【００４７】
１      ：カバー付き超音波診断装置
２      ：超音波診断装置
３      ：超音波診断装置用カバー
１１    ：ケーシング
１１ｂ  ：先端部
１２    ：プローブ
１２ａ  ：センサ
１３    ：モニター
２０    ：袋部材
２０ａ  ：開口側部分
２１    ：筒状体
２１ｃ  ：上側開口部（第１開口部）
２１ｄ  ：下側開口部（第２開口部）
２３    ：プローブカバー体
２４    ：分離部分
２５    ：本体部分
２６    ：分離部位
２７    ：内筒部分
【図１】
2020010801.tif 000003
【図２】
2020010801.tif 000004
【図３】
2020010801.tif 000005
【図４】
2020010801.tif 000006
【図５】
2020010801.tif 000007
【図６】
2020010801.tif 000008